(57)【要約】      （修正有）【課題】ペットの飼料を収納する給食器として外出に携帯・使用する時に対し、簡易な操作を介して飼料を開放または閉鎖を制御できる構造を提供する。【解決手段】底座１の飼料碗７の一側の変位空間の内に飼料供給制御部を収納し、且つ飼料供給制御部の上方には、飼料供給ホッパー５と給水器６とを具する飼料収納セット２が組み立てられ、更に飼料供給制御部を利用して変位空間の内に方位の推移を行い、そして飼料供給制御部の両端の突出部が変位空間の両側のストッパー・ブロックに当着する時に、開放極限を形成し、さらに飼料供給制御部の凹槽３４が変位空間の後側のストッパー・シート１７に当着する時に、閉鎖極限を形成するが、これにより組み立てられた飼料収納セット２が簡易な操作のみを介して飼料の供給開放または停止閉鎖を制御することができる。【選択図】図２
0003150776.tif 000002
【実用新案登録請求の範囲】
【請求項１】
飲用水・飼料併用の給食器構造の改良は、その間に一つの飼料収納セットを組み立てる底座を一つ含み、該飼料収納セットの頂端が給水器を結合する架設台を、その間に突き抜けることにより、頂端の飼料供給ホッパーと一体に接続され、更に底座の前端に一つの飼料碗が配設されることにより、給食器を一つ構成する飲用水・飼料併用の給食器構造の改良において、その改良は、架設台と底座との間に介在して組み立てられた飼料収納セットが、その内管の下端に中空嵌合段を一つ具する飼料供給制御部と接続され、該嵌合段の一端の載置部について、底座に寄り添って配設するように収納でき、飼料碗の一側にて形成された変位空間となり、変位空間の両側に沿うガイド・フレーム・エッジの上端に限界部を覆設し且つ螺固素子により位置決めし、同時に飼料碗の一端に寄り添うガイド・フレーム・エッジの内側には、ストッパー・ブロックが形成されることにより、飼料供給制御部の載置部の後ろ寄りの両端の突出部に対応し、内向きに変位する時に一つの開放極限を形成でき、且つその載置部に緊密に寄り添う後ろ寄りの下方に一つの凹槽が形成されることにより、飼料供給制御部が閉鎖する時に、この凹槽が変位空間のストッパー・シートに当接され、一つの閉鎖極限を形成し、これにより組み立てられた飼料収納セットが簡易な操作のみを介して飼料の開放または閉鎖の実施を制御できることを必要とするものにあることを特徴とする飲用水・飼料併用の給食器構造の改良。
【考案の詳細な説明】
【技術分野】
【０００１】
本考案は、飲用水・飼料併用の給食器構造の改良を提供するものであるが、ペット（例えば猫，犬など）の飼料を収納する給食器として外出に携帯・使用する時に対し、簡易な操作を介して飼料を開放または閉鎖する制御を設計できる。
【背景技術】
【０００２】
故に、業界により設計され、飼育のペット（ここに小猫または子犬など）が外出に携帯する時に、構造の組立体において適時にペットに飼料または飲用水を供給できる飼育装置が相当に多くなり、以前に本創作者は、関連する飲用水・飼料併用の給食器構造の改良も提出したが、それが飼料供給ホッパーから飼料を逆に放置して更に飼料収納セットの内に収納し、普段から外管の長槽の貫通孔により、その透明内管の飼料量を了解でき、一般に飼育しない時に、外管を回転し、下端に寄り添って組み立てられた回転ボタンを、連動して同期に回転できることにより、その飼料出口と底座との繋接部が閉鎖状を呈するが、飼育する必要がある時に、手部により外管を回転し、該回転ボタンの飼料出口を連動して底座の繋接部に対応でき、つまり順調に飼料を底座の間に配設された飼料碗の内に落し込み、ペットを飼育するように供することが出来る。
【考案の開示】
【考案が解決しようとする課題】
【０００３】
本考案は、即ち以前に提出・申請された同一の類別の給食器の組立体の間の飼料落下制御機構に基づいて他の新たな態様設計を作ることにより、外出にペットの飼料の収納された給食器を携帯して使用する時に、簡易な操作を介して飼料の開放または閉鎖を制御するように設置できることを期待する。
【課題を解決するための手段】
【０００４】
本考案の主要な目的は、上端が架設台を突き抜け且つ飼料供給ホッパーの一端に接続し更にその下端と底座の一側の周りをより組み立てる飼料収納セットに対し、その内管の下端に中空嵌合段を一つ具する飼料供給制御部と接続され、該嵌合段の一端の載置部について、底座に寄り添って配設するように収納でき、飼料碗の一側にて形成された変位空間となり、変位空間の両側に沿うガイド・フレーム・エッジの上端に限界部を覆設し且つ螺固素子により位置決めし、同時に飼料碗の一端に寄り添うガイド・フレーム・エッジの内側には、ストッパー・ブロックが形成されることにより、飼料供給制御部の載置部の後ろ寄りの両端の突出部に対応し、内向きに変位する時に一つの開放極限を形成でき、且つその載置部に緊密に寄り添う後ろ寄りの下方には、外側に連通する一つの凹槽が形成されることにより、飼料供給制御部が閉鎖する時に、この凹槽が変位空間のストッパー・シートに当接され、一つの閉鎖極限を形成するように供し、これにより組み立てられた飼料収納セットが簡易な操作のみを介して飼料の開放または閉鎖の実施を制御できる。
【考案の効果】
【０００５】
以上を経って給食器の間に組み立てられた飼料収納セットは、飼料供給開放または飼料供給閉鎖の実施において下記の利点を具する。
【０００６】
１．飼料収納セットに対して開放または閉鎖を実施する必要があり、その下端に飼料供給制御部を組み立てる飼料収納セットのみは、底座の変位空間の開放または閉鎖の方位へ向けて変位する必要があり、つまり飼料収納セットの間の内管および底座に配設された飼料碗が対応して飼料供給の開放状態を形成でき、或いは飼料収納セットの間の内管が変位空間のストッパーを受けて飼料供給の閉鎖状態を形成できる。
【０００７】
２．該飼料収納セットの部材と下端の飼料供給制御部との組み立ての実施が簡便で、予め設定された開放または閉鎖スイッチ作動を極めて達成できる。
【０００８】
３．飼料収納セットを全体に制御してスイッチングする組立体の部材の加工が便利となることにより、部材の製造コストを有効に低減できる。
【考案を実施するための最良の形態】
【０００９】
本考案の設計した飲用水・飼料併用の給食器構造の改良は、図１と図２を参照し、一つの底座１と、内管２１および外管２２を結合する飼料収納セット２と、飼料供給制御部３と、架設台４と、飼料供給ホッパー５と、給水器６と、飼料碗７とを含んで構成される。その中でも、底座１は、前端に一つの載置孔１１が形成され、更に載置孔１１に寄り添う一側には、一つの変位空間１２が形成され、変位空間１２の両側に沿うガイド・フレーム・エッジ１３は、載置孔１１に寄り添う一端にストッパー・ブロック１４が設けられ、該両側のガイド・フレーム・エッジ１３の上端に対し、限界部１５に対応してより覆設でき、且つ螺固素子１６を介して一体に位置決めされ、更に変位空間１２の後ろ寄りの段部に一つのストッパー・シート１７が突出する。
【００１０】
飼料収納セット２は、上・下端にそれぞれ一区切りの欠け口２１１を形成する透明質内管２１と、一側に長槽の貫通孔（この図に掲示されてない）を具する外管２２とにより構成される。
【００１１】
飼料供給制御部３は、飼料収納セット２の内管２１の下端に対応して組み立てられた部材であるが、該飼料供給制御部３の間が一つの中空嵌合段３１となり且つその一端が一つの載置部３２となり、底座１の載置孔１１の一側に寄り添う変位空間１２を収納でき、同時に載置部３２の後ろ寄りの両端に突出部３３が設けられ、そして載置部３２の後ろ寄りの下方には、外側に連通する一つの凹槽３４が形成され、且つ、中空嵌合段３１の上端に一区切りの欠け口３１１が形成される。
【００１２】
架設台４は、その一端に上狭下広の嵌合部４１が形成されることにより、飼料収納セット２の外管２２の上端に対応して嵌設され（この上狭の管段に対して外管２２の外径により決められ）、架設台４の他側には、上・下端にそれぞれ支持部４２、４３が形成されることにより、その間に給水器６を結合でき、そして給水器６の底部に係合部６５が形成されることにより、支持部４３の間に対応して係合孔４４が開設され、支持部４２の間に給水器６が回転することを避ける（ここに係合部６５と係合孔４４が六角形として実施する）。
【００１３】
飼料供給ホッパー５は、その下寄りの管段５１が飼料収納セット２の外管２２の内径により決めて形成され、該管段５１の底部の周りに一区切りの欠け口５２が設けられ、飼料収納セット２の内管２１に対応する上端の欠け口２１１に寄り設けるように形成され、更に飼料供給ホッパー５の頂端の一側に一つのカバー体５３が軸接される。
【００１４】
給水器６は、架設台４の一側の上・下の支持部４２、４３の間に結合されて飲用水を供給するように用いられる容器であるが、その出水管段６１に嵌合された可動部６２の内部に、スチール・ボール６３が組み立てられ、ペットの飲用水として上突きしたら出水し且つ上突きしなかったら塞がる出水口を具する装置があり、その他に給水器６の上端に一つのカバー体６４が緊密に覆設される。
【００１５】
飼料碗７は、その一端に繋接部７１が形成されることにより、底座１の載置孔１１の一端の周りに対応して寄り添い、飼料碗７の周りにフランジ７２が形成されることにより、底座１の載置孔１１に対応して穏やかに放置される。
【００１６】
組み立ての実施は（図１〜図３を参照し）、内管２１と外管２２とにより構成された飼料収納セット２の間の内管２１の下端寄りの欠け口２１１が飼料供給制御部３の中空嵌合段３１の欠け口３１１に対応して寄り設け、且つ該飼料供給制御部３の嵌合段３１の一端の載置部３２が底座１に置き入れられた変位空間１２に対応し、更に変位空間１２の両側のガイド・フレーム・エッジ１３の上端から、それぞれ限界部１５が覆設され、且つ螺固素子１６により一体に位置決めされることにより、飼料供給制御部３に対して方位を規制し、更に架設台４の上狭下広の嵌合部４１が飼料収納セット２の外管２２に対応して嵌入され、続いて飼料供給ホッパー５の下端の管段５１が飼料収納セット２の外管２２の内部に対応して置き入れられ、管段５１の下端の欠け口５２が内管２１の欠け口２１１に対応して寄り設けられることを可能とし、その後に再び給水器６が架設台４の上・下の支持部４２、４３の間に結合され、飼料碗７が底座１の載置孔１１の上に配設され、且つその繋接部７１が変位空間１２に寄り添う載置孔１１に対応し、これにより、一つの給食器８を構成する。
【００１７】
給食器８の間の飼料収納セット２は、普段から閉鎖を実施し（図２〜図４を参照し）、飼料供給制御部３を外向きに推移し、該載置部３２の後下方寄りの凹槽３４が変位空間１２のストッパー・シート１７に当着されることにより、閉鎖極限状態を形成し、且つ飼料供給制御部３が脱落現象を発生することを、防止する。
【００１８】
給食器８の間の飼料収納セット２は、開放を実施する必要がある時に（図５と図６を参照し）、その下端に飼料供給制御部３を組み立てる飼料収納セット２を、内向きに推移し、該飼料供給制御部３の載置部３２が底座１の変位空間１２の内寄りの一側に移動でき（例えば図６）、該飼料供給制御部３の載置部３２の後ろ寄りの両端の突出部３３が変位空間１２の両側のストッパー・ブロック１４までに当着する時に（例えば図６Ｄ）、つまり内向きに変位する時における開放極限を形成し、この時に飼料収納セット２の内管２１の下端が底座１の間に配設された飼料碗７に対応し、そして飼料収納セット２の内部に貯蔵された飼料９を、対応する飼料碗７の内に下向きに落下でき、飼料供給の開放状態を形成する。
【００１９】
更に飼料碗７の内に落ち込んだ飼料が既に足りて閉鎖する時に、再び全体の飼料収納セット２のみを外向きに推移する必要があり（例えば図７の矢号方向に示すように移出し）、該載置部３２の後ろ寄りの下方の凹槽３４を再び変位空間１２のストッパー・シート１７に当接し（例えば図７Ｅ）、これにより、つまり飼料収納セット２が簡易な操作にて適切な飼料の閉鎖・実施を達成できる。
【図面の簡単な説明】
【００２０】
【図１】本考案の給食器の部材の分解模式図である。
【図１Ａ】図１のＡ箇所の拡大詳細図である。
【図１Ｂ】図１のＢ箇所の拡大詳細図である。
【図１Ｃ】図１のＣ箇所の拡大詳細図である。
【図２】本考案の給食器の組立体の外観斜視図である。
【図３】本考案の飼料収納セットと底座の組立体が閉鎖状態にある部分詳細図である。
【図４】本考案の飼料収納セットと底座の組立体が閉鎖状態にある部分断面詳細図である。
【図５】本考案の飼料収納セットと底座の組立体が開放を実施する部分詳細図である。
【図６】本考案の飼料収納セットと底座の組立体が開放状態にある部分断面詳細図である。
【図６Ｄ】図６のＤ箇所の拡大詳細図である。
【図７】本考案の飼料収納セットと底座の組立体が開放状態にある部分断面詳細図である。
【図７Ｅ】図７のＥ箇所の拡大詳細図である。
【符号の説明】
【００２１】
１  底座
２  飼料収納セット
３  飼料供給制御部
４  架設台
５  飼料供給ホッパー
６  給水器
７  飼料碗
８  給食器
９  飼料
１１  載置孔
１２  変位空間
１３  ガイド・フレーム・エッジ
１４  ストッパー・ブロック
１５  限界部
１６  螺固素子
１７  ストッパー・シート
２１  内管
２２  外管
３１  中空嵌合段
３２  載置部
３３  突出部
３４  凹槽
４１  嵌合部
４２、４３  支持部
４４  係合孔
５１  下管段
５２、２１１、３１１  欠け口
５３  カバー体
６１  出水管段
６２  可動部
６３  スチール・ボール
６４  カバー体
６５  係合部
７１  繋接部
７２  フランジ
【図１】
0003150776.tif 000003
【図１Ａ】
0003150776.tif 000004
【図１Ｂ】
0003150776.tif 000005
【図１Ｃ】
0003150776.tif 000006
【図２】
0003150776.tif 000007
【図３】
0003150776.tif 000008
【図４】
0003150776.tif 000009
【図５】
0003150776.tif 000010
【図６】
0003150776.tif 000011
【図６Ｄ】
0003150776.tif 000012
【図７】
0003150776.tif 000013
【図７Ｅ】
0003150776.tif 000014
【手続補正書】
【提出日】平成21年3月18日(2009.3.18)
【手続補正１】
【補正対象書類名】実用新案登録請求の範囲
【補正対象項目名】全文
【補正方法】変更
【補正の内容】
【実用新案登録請求の範囲】
【請求項１】
飲用水・飼料併用の給食器は、その間に一つの飼料収納セットを組み立てる底座を一つ含み、該飼料収納セットの頂端が給水器を結合する架設台を、その間に突き抜けることにより、頂端の飼料供給ホッパーと一体に接続され、更に底座の前端に一つの飼料碗が配設されることにより、給食器を一つ構成する飲用水・飼料併用の給食器において、
前記架設台と底座との間に介在して組み立てられた飼料収納セットが、その内管の下端に中空嵌合段を一つ具する飼料供給制御部と接続され、該嵌合段の一端の載置部について、底座に寄り添って配設するように収納でき、飼料碗の一側にて形成された変位空間となり、変位空間の両側に沿うガイド・フレーム・エッジの上端に限界部を覆設し且つ螺固素子により位置決めし、同時に飼料碗の一端に寄り添うガイド・フレーム・エッジの内側には、ストッパー・ブロックが形成されることにより、飼料供給制御部の載置部の後ろ寄りの両端の突出部に対応し、内向きに変位する時に一つの開放極限を形成でき、且つその載置部に緊密に寄り添う後ろ寄りの下方に一つの凹槽が形成されることにより、飼料供給制御部が閉鎖する時に、この凹槽が変位空間のストッパー・シートに当接され、一つの閉鎖極限を形成し、これにより組み立てられた飼料収納セットが簡易な操作のみを介して飼料の開放または閉鎖の実施を制御できることを特徴とする飲用水・飼料併用の給食器。
【手続補正３】
【補正対象書類名】明細書
【補正対象項目名】０００１
【補正方法】変更
【補正の内容】
【０００１】
本考案は、飲用水・飼料併用の給食器を提供するものであるが、ペット（例えば猫，犬など）の飼料を収納する給食器として外出に携帯・使用する時に対し、簡易な操作を介して飼料を開放または閉鎖する制御を設計できる。
【手続補正４】
【補正対象書類名】明細書
【補正対象項目名】０００２
【補正方法】変更
【補正の内容】
【０００２】
故に、業界により設計され、飼育のペット（小猫または子犬など）が外出する時に携帯して、適時にペットに飼料または飲用水を供給できる飼育装置が相当に多くなり、以前に本創作者は、関連する飲用水・飼料併用の給食器を提出したが、それが飼料供給ホッパーから飼料を逆に放置して更に飼料収納セットの内に収納し、普段から外管の長槽の貫通孔により、その透明内管の飼料量を了解でき、一般に飼育しない時に、外管を回転し、下端に寄り添って組み立てられた回転ボタンを、連動して同期に回転できることにより、その飼料出口と底座との繋接部が閉鎖状を呈するが、飼育する必要がある時に、手部により外管を回転し、該回転ボタンの飼料出口を連動して底座の繋接部に対応でき、つまり順調に飼料を底座の間に配設された飼料碗の内に落し込み、ペットを飼育するように供することが出来る。
【手続補正５】
【補正対象書類名】明細書
【補正対象項目名】０００９
【補正方法】変更
【補正の内容】
【０００９】
本考案の設計した飲用水・飼料併用の給食器は、図１と図２を参照し、一つの底座１と、内管２１および外管２２を結合する飼料収納セット２と、飼料供給制御部３と、架設台４と、飼料供給ホッパー５と、給水器６と、飼料碗７とを含んで構成される。
その中でも、底座１は、前端に一つの載置孔１１が形成され、更に載置孔１１に寄り添う一側には、一つの変位空間１２が形成され、変位空間１２の両側に沿うガイド・フレーム・エッジ１３は、載置孔１１に寄り添う一端にストッパー・ブロック１４が設けられ、該両側のガイド・フレーム・エッジ１３の上端に対し、限界部１５に対応してより覆設でき、且つ螺固素子１６を介して一体に位置決めされ、更に変位空間１２の後ろ寄りの段部に一つのストッパー・シート１７が突出する。